(57)【要約】  天面部（１１）および当該天面部（１１）と対向する底面部（１２）、前面部（１３）および当該前面部（１３）と対向する背面部（１４）、ならびに、右側面部（１５ａ）および当該右側面部（１５ａ）と対向する左側面部（１５ｂ）からなる側面部（１５）を有し、内部が、ファンが配設される第１の区画と、圧縮機が配設される第２の区画とに区画分けされたケース（１０）と、  前記前面部（１３）および前記背面部（１４）において、前記第２の区画側に固定的に設けられた、円形状の開口部（２０１）を有する第１の運搬用持ち手部（１０１ａ）と、  前記第１の運搬用持ち手部（１０１ａ）よりも前記底面部（１２）側の、前記前面部（１３）および前記背面部（１４）において、前記第１の区画側に固定的に設けられた、円形状の開口部（２０１）を有する第２の運搬用持ち手部（１０１ｂ）とを備えた。
2019049367.tif 000002
【特許請求の範囲】
【請求項１】
天面部および当該天面部と対向する底面部、前面部および当該前面部と対向する背面部、ならびに、右側面部および当該右側面部と対向する左側面部からなる側面部を有し、内部が、ファンが配設される第１の区画と、圧縮機が配設される第２の区画とに区画分けされたケースと、
前記前面部および前記背面部において、前記第２の区画側に固定的に設けられた、円形状の開口部を有する第１の運搬用持ち手部と、
前記第１の運搬用持ち手部よりも前記底面部側の、前記前面部および前記背面部において、前記第１の区画側に固定的に設けられた、円形状の開口部を有する第２の運搬用持ち手部
とを備えた空気調和機の室外機。
【請求項２】
前記第１の運搬用持ち手部は、当該第１の運搬用持ち手部が有する前記開口部の上部が、前記底面部に対して垂直方向に７００ｍｍとなる位置に設けられ、
前記第２の運搬用持ち手部は、当該第２の運搬用持ち手部が有する前記開口部の上部が、前記底面部に対して垂直方向に３００ｍｍとなる位置に設けられる
ことを特徴とする請求項１記載の空気調和機の室外機。
【請求項３】
前記底面部と、前記前面部および前記背面部の、前記第２の区画側の端部と接する前記側面部とで構成される、前記ケースの回転支持部は、Ｒ形状部を有する
ことを特徴とする請求項１記載の空気調和機の室外機。
【請求項４】
前記Ｒ形状部には、滑り止め用部材が設けられる
ことを特徴とする請求項３記載の空気調和機の室外機。
【請求項５】
前記第１の区画側において前記前面部および前記背面部と接する前記側面部には、設置用持ち手部が設けられる
ことを特徴とする請求項１から請求項４のうちのいずれか１項記載の空気調和機の室外機。
【発明の詳細な説明】
【技術分野】
【０００１】
この発明は、空気調和機の室外機に関するものである。
【背景技術】
【０００２】
例えば、業務用の空気調和機の室外機は、家庭用の空気調和機の室外機に比べると相当の重量を有している。
このように重い室外機を運搬する際には、２名の作業者が、それぞれ、室外機のケースに設けられた持ち手に手を引っかけて室外機を持ち上げて運搬作業を行うことが一般的である。【０００３】
例えば、特許文献１には、空気調和機の室外ユニットのケーシング適所に形成された円形の嵌合穴に対して、手掛部を有しかつ外周に円形の嵌合部を備えた把手が、回動自在に嵌合されるようにする技術が開示されている。
これにより、運搬時において作業者が空気調和機を持ち上げる際には、持ち上げやすい角度で持ち手に手をかけ得るようにしている。
【先行技術文献】
【特許文献】
【０００４】
【特許文献１】実公昭６３−４０７３５号公報
【発明の概要】
【発明が解決しようとする課題】
【０００５】
しかしながら、特許文献１に開示されているような技術では、作業者が持ち上げやすい角度で手を引っかけられる持ち手を実現するために、回転機構を必要とし、持ち手の構成が複雑になるという課題があった。【０００６】
また、室外機のケース内においては、ファン等が配設される区画と、圧縮機が配設される区画とが区画分けされ、重量の大きい圧縮機が室外機の一部分に集結されている。そのため、室外機の重心位置は、圧縮機搭載側の一方に偏心している。
したがって、２名の作業者によって室外機を運搬する際には、当該２名の作業者がそれぞれ手を引っかける持ち手が、室外機を置いた状態で、例えば略同じ高さに設けられていると、上述のような重心位置の偏心によって、片方の作業者の腰椎負荷が高くなるおそれがある。
例えば、特許文献１に開示されている空気調和機の室外ユニットでは、ケーシングの前面および背面における略対角線位置に、室外ユニットの運搬時に作業者が手を引っかけるための持ち手が取り付けられているため、運搬時の重心位置の偏心は、ある程度解消すると考えられる。【０００７】
しかし、上述のように、重量のある室外機の持ち手の構造として、特許文献１に開示されているような持ち手の構造を採用する場合、回転機構が重量に耐えられないおそれがあるという課題もあった。【０００８】
この発明は、上記のような課題を解決するためになされたもので、２名の作業者で運搬することが必要とされる重量を有する室外機において、運搬時の作業者への負荷を軽減するとともに、複雑な構成を必要とすることなく、作業者の運搬時の持ち上げ作業を容易とすることができる空気調和機の室外機を提供することを目的とする。
【課題を解決するための手段】
【０００９】
この発明に係る空気調和機の室外機は、天面部および当該天面部と対向する底面部、前面部および当該前面部と対向する背面部、ならびに、右側面部および当該右側面部と対向する左側面部からなる側面部を有し、内部が、ファンが配設される第１の区画と、圧縮機が配設される第２の区画とに区画分けされたケースと、前面部および背面部において、第２の区画側に固定的に設けられた、円形状の開口部を有する第１の運搬用持ち手部と、第１の運搬用持ち手部よりも底面部側の、前面部および背面部において、第１の区画側に固定的に設けられた、円形状の開口部を有する第２の運搬用持ち手部とを備えたものである。
【発明の効果】
【００１０】
この発明の空気調和機の室外機によれば、２名の作業者で運搬することが必要とされる重量を有する室外機において、運搬時の作業者への負荷を軽減するとともに、複雑な構成を必要とすることなく、作業者の運搬時の持ち上げ作業を容易とすることができる。
【図面の簡単な説明】
【００１１】
【図１】実施の形態１に係る空気調和機の室外機の構成例を説明する図であって、図１Ａは、室外機を置いた状態で正面からみた正面図であり、図１Ｂは、図１Ａの室外機を左側からみた左側面図の一部断面図であり、図１Ｃは、図１Ａの室外機を背面からみた背面図であり、図１Ｄは、図１Ａの室外機を右側からみた右側面図である。
【図２】実施の形態１において、運搬用持ち手部を説明するための図であって、図２Ａは、室外機が置かれた状態で、運搬用持ち手部を正面からみた正面図であり、図２Ｂは、図２ＡのＡ−Ａ断面図である。
【図３】実施の形態１において、第１の運搬用持ち手部および第２の運搬用持ち手部の、望ましい位置を説明するための室外機の一例である。
【図４】実施の形態１において、第１の運搬用持ち手部の、前面部および背面部への具体的な固定方法の一例を説明するための図であって、図４Ａは、図１Ａに示した室外機を、第１の運搬用持ち手部の開口部の略中心を通る位置で切断して右側からみた右断面図であり、図４Ｂは、図４ＡにおけるＡ１部分の拡大図であり、図４Ｃは、図４ＡにおけるＡ２部分の拡大図である。
【図５】実施の形態１において、室外機の運搬時における作業者の動作を説明するための図である。
【図６】実施の形態１において、室外機の運搬時における作業者の動作を説明するための図である。
【図７】実施の形態１において、室外機の設置時における作業者の動作を説明するための図である。
【図８】実施の形態１において、作業者が、運搬用持ち手部の形状にあわせて手を滑らせて、手を引っかける位置を調整する態様を説明するための図である。
【図９】実施の形態１において、室外機のケースがＲ形状部を有する場合と、室外機のケースがＲ形状部を有していない場合の、室外機を回転させた際の第２の運搬用持ち手部の高さの違いの一例を示す図である。
【発明を実施するための形態】
【００１２】
以下、この発明の実施の形態について、図面を参照しながら詳細に説明する。
実施の形態１．
実施の形態１において、室外機とは、２名の作業者が運搬および設置を行う程度の重量（例えば、約７０ｋｇ程度）の、業務用の空気調和機の室外機を想定している。
図１は、実施の形態１に係る空気調和機の室外機１の構成例を説明する図である。図１Ａは、室外機１を置いた状態で正面からみた正面図であり、図１Ｂは、図１Ａの室外機１を左側からみた左側面図であり、図１Ｃは、図１Ａの室外機１を背面からみた背面図であり、図１Ｄは、図１Ａの室外機１を右側からみた右側面図である。
なお、図１Ｂおよび図１Ｄは、説明の簡単のため、一部断面図としている。具体的には、図１Ｂおよび図１Ｄにおいて、運搬用持ち手部１０１（後述する）については、断面を示すようにしている。
【００１３】
室外機１は、ケース１０を有する。
ケース１０は、天面部１１および当該天面部１１と対向する底面部１２、前面部１３および当該前面部１３と対向する背面部１４、ならびに、左側面部１５ａおよび当該左側面部１５ａに対向する右側面部１５ｂを有する。以下の説明においては、左側面部１５ａと右側面部１５ｂとを、まとめて側面部１５ともいう。
前面部１３は、前面部１３の面上の、少なくともファン（後述する）と対向する部分に開口部を有し、当該開口部を覆うように格子部材１３ａが取り付けられる。実施の形態１では、前面部１３は、ほぼ全面にわたる開口部を有するものとしている。
天面部１１、底面部１２、前面部１３、背面部１４、および、側面部１５は、例えば、互いにネジ止めされることにより、ケース１０を構成する。また、格子部材１３ａは、例えば、ネジ止めされることにより、前面部１３に取り付けられる。
ケース１０の内部は、第１の区画（図１Ａの２０）と第２の区画（図１Ａの３０）に区画分けされ、第１の区画に、ファン等が配設される。また、第２の区画に、重量が大きい圧縮機が配設される。なお、図１では、ファンおよび圧縮機の図示は省略している。
そのため、室外機１の重心Ｇは、図１Ａに示すように、室外機１を置いた状態でケース１０を正面から見たときに、当該ケース１０の横幅の中心を通る直線上からは、ずれた位置となっている。すなわち、室外機１の重心位置は、偏心している。
【００１４】
天面部１１、底面部１２、前面部１３、背面部１４、および、側面部１５は、例えば、板金で形成される。
前面部１３に取り付けられる格子部材１３ａは、例えば樹脂で形成され、ファンからの空気が排出されるよう、網状に形成されている。図１Ａに示すように、前面部１３の２箇所に、運搬用持ち手部１０１が設けられている。なお、格子部材１３ａは、前面部１３に形成された運搬用持ち手部１０１は覆わない形状に形成される。
また、図１Ｃに示すように、背面部１４の２箇所に、運搬用持ち手部１０１が設けられている。なお、前面部１３に設けられた２箇所の運搬用持ち手部１０１と、背面部１４に設けられた２箇所の運搬用持ち手部１０１とは、それぞれ互いに対向する位置に設けられている。
図１に示すように、運搬用持ち手部１０１は、室外機１が置かれた状態において側面部１５の前後方向に所定の高さを有し、かつ、内部に空間を有する柱状の形状を有する。また、運搬用持ち手部１０１は、ケース１０の外周側に、円形状の開口部２０１（詳細は後述する）を有する。また、運搬用持ち手部１０１は、前面部１３および背面部１４に固定的に設けられており、回転しない。具体的には、運搬用持ち手部１０１は、前面部１３および背面部１４と別に成型された後、前面部１３および背面部１４に嵌め込まれ、ネジ止めにより固定される。運搬用持ち手部１０１の、前面部１３および背面部１４への具体的な固定方法については後述する。
【００１５】
ここで、図２は、実施の形態１において、運搬用持ち手部１０１を説明するための図である。図２Ａは、室外機１が置かれた状態で、運搬用持ち手部１０１を正面からみた正面図であり、図２Ｂは、図２ＡのＡ−Ａ断面図である。
運搬用持ち手部１０１は、図２に示すように、開口部２０１を有し、当該開口部２０１の外周に沿って引っかけ部１０１１を有している。作業者は、室外機１を運搬する際は、開口部２０１に手を挿入し、引っかけ部１０１１に手を引っかける。作業者による、室外機１の運搬方法については後述する。
なお、運搬用持ち手部１０１が有する開口部２０１は、真円でなくてもよく、作業者が運搬用持ち手部１０１の形状にあわせて無理なく手を滑らせることができ、かつ、引っかけ部１０１１に手を引っかけて無理なく室外機１を持ち上げることができる程度であればよい。
例えば、引っかけ部１０１１において、作業者が手を引っかけることがない底面部１２側は、円形でなくてもいい。
【００１６】
図１の説明に戻る。
前面部１３および背面部１４それぞれの、２箇所に設けられた運搬用持ち手部１０１は、前面部１３および背面部１４の、第２の区画側に設けられた第１の運搬用持ち手部１０１ａと、前面部１３および背面部１４の、第１の区画側に設けられた第２の運搬用持ち手部１０１ｂとからなる。
【００１７】
第２の運搬用持ち手部１０１ｂは、図１に示すように、前面部１３および背面部１４において、第１の運搬用持ち手部１０１ａよりも底面部１２側に設けられる。
室外機１が置かれた状態で、第１の運搬用持ち手部１０１ａを第２の運搬用持ち手部１０１ｂより高い位置とすることで、２名の作業者が、室外機１の運搬時に、それぞれ第１の運搬用持ち手部１０１ａと第２の運搬用持ち手部１０１ｂとを、当該第１の運搬用持ち手部１０１ａと第２の運搬用持ち手部１０１ｂの高さが略同じ高さとなるような位置で持つことになる。その結果、運搬時において、室外機１の重心位置が運搬状態の当該室外機１の略中心位置となり、重心位置の偏心をなくすことができる。運搬時の作業者の動作については後述する。
【００１８】
例えば、室外機１が、図３に示すような形状および重心位置を有する室外機であるとした場合、運搬時の作業者に係る腰椎負荷の観点から、第２の運搬用持ち手部１０１ｂは、前面部１３および背面部１４において、当該第２の運搬用持ち手部１０１ｂの開口部２０１（図２参照）の上部が、底面部１２に対して垂直方向に３００ｍｍとなる位置に設けられ、第１の運搬用持ち手部１０１ａは、前面部１３および背面部１４において、第１の運搬用持ち手部１０１ａの開口部２０１（図２参照）の上部が、底面部１２に対して垂直方向に７００ｍｍとなる位置に設けられることが望ましい。
この場合、室外機１を置いた状態で、第２の運搬用持ち手部１０１ｂの開口部２０１の上部は、底面部１２から鉛直方向に３００ｍｍとなる高さ（図１Ａおよび図１Ｃにおいてｈ１で示す）となり、第１の運搬用持ち手部１０１ａの開口部２０１の上部は、底面部１２から鉛直方向に７００ｍｍとなる高さ（図１Ａおよび図１Ｃにおいてｈ２で示す）となる。
第２の運搬用持ち手部１０１ｂの開口部２０１の上部が、底面部１２から垂直方向に３００ｍｍとなる位置に第２の運搬用持ち手部１０１ｂが設けられ、第１の運搬用持ち手部１０１ａの開口部２０１の上部が、底面部１２から垂直方向に７００ｍｍとなる位置に第１の運搬用持ち手部１０１ａが設けられると、室外機１の運搬時に、重心位置の偏心をなくすことができ、２名の作業者の荷重負担が均等に近くなり、災害性腰痛を発症する恐れのある基準値（米国立労働安全衛生研究所（ＮＩＯＳＨ）の基準値３４００Ｎ）を超えないようにすることができる。
【００１９】
ここで、運搬用持ち手部１０１の、前面部１３および背面部１４への具体的な固定方法について説明する。
図４は、実施の形態１において、第１の運搬用持ち手部１０１ａの、前面部１３および背面部１４への具体的な固定方法の一例を説明するための図である。
図４Ａは、図１Ａに示した室外機１を、第１の運搬用持ち手部１０１ａの開口部２０１の略中心を通る位置で切断して右側からみた右断面図であり、図４Ｂは、図４ＡにおけるＡ１部分の拡大図であり、図４Ｃは、図４ＡにおけるＡ２部分の拡大図である。
前面部１３に固定的に設けられる第１の運搬用持ち手部１０１ａ（前側第１持ち手部とする）は、格子部材１３ａに一体成型される。そして、図４Ｂに示すように、格子部材１３ａと前面部１３とを、前側第１持ち手部が前面部１３に設けられた凹部（図４Ａの４０４）に重なるように合わせ、格子部材１３ａ側からボルト４０１を通し、前面部１３側からナット４０２でボルト４０１を押さえる。これにより、格子部材１３ａが前面部１３に固定されるとともに、前側第１持ち手部が前面部１３に固定される。なお、格子部材１３ａには、当該格子部材１３ａが成型される際に、ボルト４０１を貫通させる穴（図示省略）が開けられている。
一方、背面部１４に固定的に設けられる第１の運搬用持ち手部１０１ａ（後側第１持ち手部とする）は、成型される際に、後述するボルト４０３をねじ込むためのめねじが切られる。そして、図４Ｃに示すように、略円筒状の後側第１持ち手部が、背面部１４に設けられた凹部（図４Ａの４０５）に嵌め込まれ、背面部１４側からボルト４０３がめねじにねじ込まれることで、後側第１持ち手部が背面部１４に固定される。
以上のようにして、第１の運搬用持ち手部１０１ａが、前面部１３および背面部１４へ固定される。
図４を用いた説明では、第１の運搬用持ち手部１０１ａの、前面部１３および背面部１４への固定方法の一例について説明したが、第２の運搬用持ち手部１０１ｂの、前面部１３および背面部１４への固定方法についても、第１の運搬用持ち手部１０１ａの、前面部１３および背面部１４への固定方法と同様であるので図を用いた詳細な説明は省略する。
前面部１３に固定的に設けられる第２の運搬用持ち手部１０１ｂ（前側第２持ち手部とする）は、格子部材１３ａに一体成型され、格子部材１３ａが前面部１３にボルトおよびナットで固定されることで、前側第２持ち手部も、前面部１３に固定される。また、背面部１４に固定的に設けられる第２の運搬用持ち手部１０１ｂ（後側第２持ち手部とする）は、当該後側第２持ち手部に切られためねじに、背面部１４側からボルトがねじ込まれることで、後側第２持ち手部が背面部１４に固定される。
前面部１３に前側第１持ち手部および前側第２持ち手部が固定され、背面部１４に後側第１持ち手部および後側第２持ち手部が固定された後、天面部１１、底面部１２、前面部１３、背面部１４、および、側面部１５（図４においては図示省略）が嵌め合わされ、互いにネジ止めされて、ケース１０が構成される。
なお、上述した、運搬用持ち手部１０１の、前面部１３および背面部１４への固定方法は一例に過ぎず、運搬用持ち手部１０１は、接着剤等を用いて、前面部１３および背面部１４に固定されるようにしてもよい。
【００２０】
左側面部１５ａは、設置用持ち手部１０３を有する。設置用持ち手部１０３は、左側面部１５ａに、例えば、ネジ止め等により固定される。また、設置用持ち手部１０３には、図１Ａに示すように、室外機１を、設置状態において正面から見た際に、ケース１０の外側に突出する突出部を設けるようにする。例えば、作業者は、室外機１を設置する際の位置合わせ時に、当該突出部に親指以外の４本の指を引っかけるようにする。
設置用持ち手部１０３は、作業者が室外機１を設置する際の位置合わせに用いられる。作業者による、室外機１の設置方法については後述する。
なお、実施の形態１では、図１に示すように、設置用持ち手部１０３は、左側面部１５ａにのみ設けられるものとするが、これに限らず、設置用持ち手部１０３は、右側面部１５ｂにも設けられるようにしてもよい。
設置用持ち手部１０３は、少なくとも、第１の区画側において前面部１３および背面部１４と接する側面部１５に設けられるようになっていればよい。
設置用持ち手部１０３が設けられる高さ方向の位置は、室外機１が置かれた状態で、底面部１２の鉛直方向に、第２の運搬用持ち手部１０１ｂよりも高い、適宜の位置とすればよいが、底面部１２の鉛直方向に、第１の運搬用持ち手部１０１ａと略同じ高さとすることが望ましい。
【００２１】
底面部１２と、前面部１３および背面部１４の、第２の区画側の端部と接する側面部１５（ここでは右側面部１５ｂ）とで構成されるケース１０の角部（以下、「回転支持部」という。）は、Ｒ形状部１０２１を有する。
Ｒ形状部１０２１には、滑り止め用部材１０２２が設けられる。滑り止め用部材１０２２は、例えば、ゴムである。滑り止め用部材１０２２は、ゴムに限らず、室外機１の運搬時において、作業者が、回転支持部（Ｒ形状部１０２１）を支点として室外機１を持ち上げる際に、回転支持部と地面または床等との滑りを防止し、室外機１を持ち上げやすくできるものであればよい。
【００２２】
次に、作業者が、以上に説明したような室外機１を、運搬し、設置する際の動作について説明する。
２名の作業者（作業者１および作業者２とする）が室外機１の運搬および設置を行う。
図５〜７は、作業者１と作業者２による、室外機１の運搬および設置動作を説明するための図である。図５および図６は、室外機１の運搬時における作業者の動作を説明するための図であり、図７は、室外機１の設置時における作業者の動作を説明するための図である。
作業者１および作業者２は、室外機１の運搬時において、まず、図５に示すように、回転支持部を支点として室外機１を作業者１の方向へ倒すようにして回転させ、その後、図６に示すように、室外機１を持ち上げて運搬する。そして、室外機１を設置すべき所定の位置まで当該室外機１を運搬すると、作業者１および作業者２は、図７に示すように、室外機１を置き、当該室外機１の位置合わせを行う。これが、室外機１の運搬および設置時の、作業者１および作業者２の一連の動作である。以下、詳細に説明する。
【００２３】
まず、作業者１および作業者２は、それぞれ、第１の運搬用持ち手部１０１ａおよび第２の運搬用持ち手部１０１ｂの開口部２０１（図２参照）に手を挿入し、引っかけ部１０１１（図２参照）に手を引っかける。
そして、作業者１および作業者２は、室外機１を、作業者１の方向へ倒すようにして回転させる（図５参照）。
このとき、作業者１および作業者２は、運搬用持ち手部１０１が固定されていても、当該運搬用持ち手部１０１の開口部２０１が円形状であることにより、当該運搬用持ち手部１０１の形状にあわせて手を滑らせて、手を引っかける位置を自在に調整することができる（図８参照）。
【００２４】
また、このとき、作業者１および作業者２は、回転支持部を支点として室外機１を回転させるが、当該回転支持部は、上述のように、Ｒ形状部１０２１を有する。よって、Ｒ形状部１０２１が、室外機１を回転させる支点となる。これにより、この後、室外機１を持ち上げる際に、作業者２が手を引っかける第２の運搬用持ち手部１０１ｂの位置を、回転支持部がＲ形状部１０２１を有しない形状である場合よりも、高くすることができる。
【００２５】
図９は、実施の形態１において、室外機１のケース１０がＲ形状部１０２１を有する場合と、室外機１のケースがＲ形状部１０２１を有していない場合の、室外機１を回転させた際の第２の運搬用持ち手部１０１ｂの高さの違いの一例を示す図である。
図９上、右側は、Ｒ形状部１０２１を有していない、一般の形状のケースを有する室外機を、当該ケースの角（図９の８１）を支点として回転させた場合を示している。また、図９上、左側は、実施の形態１の、Ｒ形状部１０２１を有する室外機１を、当該Ｒ形状部１０２１を支点として回転させた場合を示している。
図９に示すように、第２の運搬用持ち手部１０１ｂの、室外機１を回転後、当該室外機１を持ち上げた際の高さは、Ｒ形状部１０２１を有していない場合より、Ｒ形状部１０２１を有している場合のほうが、図９のｈ３で示す分だけ高くなることがわかる。
室外機１を回転後の当該室外機１の持ち上げ時に第２の運搬用持ち手部１０１ｂの高さが高くなることで、当該室外機１の持ち上げ時の、作業者２の腰椎負荷を低減できる。
【００２６】
また、Ｒ形状部１０２１には、上述のとおり、滑り止め用部材１０２２が設けられる。当該滑り止め用部材１０２２により、Ｒ形状部１０２１を支点として室外機１を回転させ、室外機１を持ち上げる際に、室外機１を持ち上げやすくすることができる。また、地面または床等を傷つけないようにすることもできる。
【００２７】
次に、作業者１および作業者２は、室外機１を持ち上げる（図６参照）。
上述のとおり、運搬時における室外機１の重心位置が運搬状態の当該室外機１の略中心位置となるよう、第１の運搬用持ち手部１０１ａと第２の運搬用持ち手部１０１ｂとでは、第２の運搬用持ち手部１０１ｂのほうが、第１の運搬用持ち手部１０１ａよりも低い位置に設けられるように設計されている。
したがって、図６に示すように室外機１を持ち上げ、設置位置まで室外機１を運搬するまでの間、室外機１の重心位置の偏心をなくすことができ、作業者１および作業者２は、略均等な力で、室外機１を運搬することができる。
【００２８】
室外機１を所定の位置まで運搬すると、作業者１および作業者２は、室外機１を設定予定位置の近傍に置く（図７参照）。そして、作業者１および作業者２は、室外機１の正確な位置合わせを行う。
このとき、作業者２は、手を引っかける場所を、第２の運搬用持ち手部１０１ｂから、設置用持ち手部１０３に変更して、室外機１の位置合わせを行う。設置用持ち手部１０３を用いることで、作業者２は、無理な姿勢で位置合わせを行わなくて済み、作業者２への腰椎負荷を低減することができる。
以上のようにして、作業者１および作業者２によって、室外機１の運搬および設置作業が行われる。
【００２９】
以上のように、実施の形態１によれば、室外機１は、天面部１１および当該天面部１１と対向する底面部１２、前面部１３および当該前面部１３と対向する背面部１４、ならびに、右側面部１５ｂおよび当該右側面部１５ｂと対向する左側面部１５ａからなる側面部１５を有し、内部が、ファンが配設される第１の区画と、圧縮機が配設される第２の区画とに区画分けされたケース１０と、前面部１３および背面部１４において、第２の区画側に固定的に設けられた、円形状の開口部を有する第１の運搬用持ち手部１０１ａと、第１の運搬用持ち手部１０１ａよりも底面部１２側の、前面部１３および背面部１４において、第１の区画側に固定的に設けられた、円形状の開口部を有する第２の運搬用持ち手部１０１ｂとを備えるようにした。その結果、２名の作業者で運搬することが必要とされる重量を有する室外機１において、運搬時の作業者への負荷を軽減するとともに、複雑な構成を必要とすることなく、作業者の運搬時の持ち上げ作業を容易とすることができる。作業者は、運搬用持ち手部１０１の形状にあわせて手を滑らせて、指を引っかける位置を自在に調整することができる。また、運搬時における室外機１の重心位置の偏心がなくなり、２名の作業者は、均等な力で、室外機１を運搬することができ、作業者の腰椎負荷を小さくすることができる。
【００３０】
また、実施の形態１によれば、底面部１２と、前面部１３および背面部１４の、第２の区画側の端部と接する側面部１５とで構成される、ケース１０の回転支持部は、Ｒ形状部１０２１を有する。これにより、室外機１の運搬時において、室外機１を回転させたあと持ち上げようとする際に、第２の運搬用持ち手部１０１ｂの鉛直方向の位置を、Ｒ形状部１０２１を持たない室外機を回転させたあと持ち上げようとする場合よりも、高くすることができる。その結果、室外機１の持ち上げ時の作業者の腰椎負荷を低減できる。
【００３１】
また、実施の形態１によれば、Ｒ形状部１０２１には、滑り止め用部材１０２２が設けられる。これにより、作業者が、Ｒ形状部１０２１を支点として室外機１を回転させ、室外機１を持ち上げる際に、室外機１を持ち上げやすくすることができる。また、地面または床等を傷つけることなく、室外機１を回転させることができる。
【００３２】
また、実施の形態１によれば、第１の区画側において前面部１３および背面部１４と接する側面部１５には、設置用持ち手部１０３が設けられる。これにより、作業者は無理な体勢で位置合わせを行わなくて済み、作業者への腰椎負荷を低減することができる。
【００３３】
なお、本願発明はその発明の範囲内において、実施の形態の任意の構成要素の変形、もしくは実施の形態の任意の構成要素の省略が可能である。
【産業上の利用可能性】
【００３４】
この発明に係る空気調和機の室外機は、運搬時の作業者への負荷を軽減するとともに、複雑な構成を必要とすることなく、作業者の運搬時の持ち上げ作業を容易とすることができるように構成したため、２名の作業者によって運搬、および、設置される、比較的重い空気調和機の室外機に適用することができる。
【符号の説明】
【００３５】
１  室外機、１１  天面部、１２  底面部、１３  前面部、１３ａ  格子部材、１４  背面部、１５ａ  左側面部、１５ｂ  右側面部、１５  側面部、１０１ａ  第１の運搬用持ち手部、１０１ｂ  第２の運搬用持ち手部、１０１  運搬用持ち手部、１０３  設置用持ち手部、２０１  開口部、１０１１  引っかけ部、１０２１  Ｒ形状部、１０２２  滑り止め用部材。
【図１】
2019049367.tif 000003
【図２】
2019049367.tif 000004
【図３】
2019049367.tif 000005
【図４】
2019049367.tif 000006
【図５】
2019049367.tif 000007
【図６】
2019049367.tif 000008
【図７】
2019049367.tif 000009
【図８】
2019049367.tif 000010
【図９】
2019049367.tif 000011
【手続補正書】
【提出日】平成30年6月8日(2018.6.8)
【手続補正１】
【補正対象書類名】明細書
【補正対象項目名】０００９
【補正方法】変更
【補正の内容】
【０００９】
この発明に係る空気調和機の室外機は、天面部および当該天面部と対向する底面部、前面部および当該前面部と対向する背面部、ならびに、右側面部および当該右側面部と対向する左側面部からなる側面部を有し、内部が、ファンが配設される第１の区画と、圧縮機が配設される第２の区画とに区画分けされたケースと、前面部および背面部において、第２の区画側に、前面部及び背面部に対して回転不能に固定的に設けられた、円形状の開口部であって、作業者が外周に沿って手を滑らせて手をかける位置を自在に調整できる開口部、及び、開口部の外周に沿って作業者が手をかける引っかけ部を有する第１の運搬用持ち手部と、第１の運搬用持ち手部よりも底面部側の、前面部および背面部において、第１の区画側に、前面部及び背面部に対して回転不能に固定的に設けられた、円形状の開口部であって、作業者が外周に沿って手を滑らせて手をかける位置を自在に調整できる開口部、及び、開口部の外周に沿って作業者が手をかける引っかけ部を有する第２の運搬用持ち手部とを備えたものである。
【手続補正２】
【補正対象書類名】特許請求の範囲
【補正対象項目名】全文
【補正方法】変更
【補正の内容】
【特許請求の範囲】
【請求項１】
天面部および当該天面部と対向する底面部、前面部および当該前面部と対向する背面部、ならびに、右側面部および当該右側面部と対向する左側面部からなる側面部を有し、内部が、ファンが配設される第１の区画と、圧縮機が配設される第２の区画とに区画分けされたケースと、
前記前面部および前記背面部において、前記第２の区画側に、前記前面部及び前記背面部に対して回転不能に固定的に設けられた、円形状の開口部であって、作業者が外周に沿って手を滑らせて手をかける位置を自在に調整できる前記開口部、及び、前記開口部の外周に沿って作業者が手をかける引っかけ部を有する第１の運搬用持ち手部と、
前記第１の運搬用持ち手部よりも前記底面部側の、前記前面部および前記背面部において、前記第１の区画側に、前記前面部及び前記背面部に対して回転不能に固定的に設けられた、円形状の開口部であって、作業者が外周に沿って手を滑らせて手をかける位置を自在に調整できる前記開口部、及び、前記開口部の外周に沿って作業者が手をかける引っかけ部を有する第２の運搬用持ち手部
とを備えた空気調和機の室外機。
【請求項２】
前記第１の運搬用持ち手部は、当該第１の運搬用持ち手部が有する前記開口部の上部が、前記底面部に対して垂直方向に７００ｍｍとなる位置に設けられ、
前記第２の運搬用持ち手部は、当該第２の運搬用持ち手部が有する前記開口部の上部が、前記底面部に対して垂直方向に３００ｍｍとなる位置に設けられる
ことを特徴とする請求項１記載の空気調和機の室外機。
【請求項３】
前記底面部と、前記前面部および前記背面部の、前記第２の区画側の端部と接する前記側面部とで構成される、前記ケースの回転支持部は、Ｒ形状部を有する
ことを特徴とする請求項１記載の空気調和機の室外機。
【請求項４】
前記Ｒ形状部には、滑り止め用部材が設けられる
ことを特徴とする請求項３記載の空気調和機の室外機。
【請求項５】
前記第１の区画側において前記前面部および前記背面部と接する前記側面部には、設置用持ち手部が設けられる
ことを特徴とする請求項１から請求項４のうちのいずれか１項記載の空気調和機の室外機。
【国際調査報告】
2019049367.tif 000012
2019049367.tif 000013
2019049367.tif 000014
2019049367.tif 000015
2019049367.tif 000016
2019049367.tif 000017